(57)【特許請求の範囲】
【請求項１】
平板状であって上下両端部より裏面側に突出する略Ｕ字形の光源装着部を有し前記光源装着部が壁面に取付けられる器具本体と、前記光源装着部の内側に配置されてランプを装着するランプソケットと、前記光源装着部が前記壁面に取付けられた状態で前記壁面から離れる前記器具本体の裏面に設けられた端子台と、前記器具本体の表面に設けられて前記ランプに対向する端面より前記ランプの光を入射し前面より透過する導光板と、この導光板の前面に配置された透明カバーパネルと、この透明カバーパネルの光源側端面を遮光する遮光部材と、前記導光板の両側に配置されたマグネットと、前記光源装着部および前記マグネットを含めて前記器具本体の周縁部の前面側に被さる枠状であって前記マグネットに吸着されるカバーとを備えた導光式照明装置。
【請求項２】
前記遮光部材は低反射材料より形成されている請求項１記載の導光式照明装置。
【請求項３】
前記遮光部材は前記導光板の上面に略密接するとともに前記光源と前記透明カバーパネルとの間に介在している請求項１記載の導光式照明装置。
【請求項４】
前記遮光部材は不透過性材料からなり、前記透明カバーパネルの光源側端面に接着される請求項１記載の導光式照明装置。
【請求項５】
前記遮光部材は不透過性材料からなり、前記導光板の上部に設置される請求項１記載の導光式照明装置。
【請求項６】
前記光源の前記導光板と反対側に不透過性材料のシートを配置しその一側を前記導光板と前記透明カバーパネルの間に挿入した請求項１記載の導光式照明装置。
【発明の詳細な説明】
【０００１】
【発明の属する技術分野】
この発明は、導光板を介して照射する導光式照明装置に関するものである。
【０００２】
【従来の技術】
従来例を図１１に示す。すなわち、この導光式照明装置は、光源７０を覆う器具本体７１の一面の開口７２から器具本体７１内に導光板７３の端面７４を導入して光源７０に臨ませ導光板７３の前面に透明カバー７５を配置している。
【０００３】
光源７０の光は導光板７３の端面７４に入射し、導光板７３の前面で屈折して透明カバーパネル７５を透過し、前方に出光する。
【０００４】
【発明が解決しようとする課題】
しかし、この導光式照明装置は、矢印Ａに示すように透明カバーパネル７５の端面から入射した光が前面より出光するという問題があった。すなわち、透明カバーパネル７５に光源７０から入光すると、透明カバーパネル７５も導光板７３と同様に光源７０の光を導光し、この光が透明カバーパネル７５の傷や汚れに達すると、そこで拡散し、それらが目立ち美観を損ねる。
【０００５】
また器具本体７１の一部を構成するカバー７１ａの内面を光源７０の光が矢印Ｂに示すように反射し、さらに透明カバーパネル７５の前面を反射してカバー７１ａと透明カバーパネル７５の隙間７７から外部に漏れていた。
【０００６】
したがって、この発明の目的は、簡単な構造で透明カバーパネルに入光する光を制限し、透明カバーパネルの傷や汚れが目立たない導光式照明装置を提供することである。
【０００７】
【課題を解決するための手段】
請求項１記載の導光式照明装置は、平板状であって上下両端部より裏面側に突出する略Ｕ字形の光源装着部を有し前記光源装着部が壁面に取付けられる器具本体と、前記光源装着部の内側に配置されてランプを装着するランプソケットと、前記光源装着部が前記壁面に取付けられた状態で前記壁面から離れる前記器具本体の裏面に設けられた端子台と、前記器具本体の表面に設けられて前記ランプに対向する端面より前記ランプの光を入射し前面より透過する導光板と、この導光板の前面に配置された透明カバーパネルと、この透明カバーパネルの光源側端面を遮光する遮光部材と、前記導光板の両側に配置されたマグネットと、前記光源装着部および前記マグネットを含めて前記器具本体の周縁部の前面側に被さる枠状であって前記マグネットに吸着されるカバーとを備えたものである。
【０００８】
請求項１記載の導光式照明装置によれば、光源より透明カバーパネルに入光する光が遮光部材により遮光され、簡単な構成により透明カバーパネルに付いた傷や汚れが光って目立つことを防止できる。
【０００９】
請求項２記載の導光式照明装置は、請求項１において、前記遮光部材が低反射材料より形成されているものである。
【００１０】
請求項２記載の導光式照明装置によれば、請求項１と同様な効果のほか、遮光部材の反射光が低減され、器具本体の開口からの漏れ光を少なくできるので、器具本体で覆われる導光板および透明カバーパネルの長さを短くでき照明装置の小型化ができる。
【００１１】
請求項３記載の導光式照明装置は、請求項１において、前記遮光部材が前記導光板の上面に略密接するとともに前記光源と前記透明カバーパネルとの間に介在しているものである。
【００１２】
請求項３記載の導光式照明装置によれば、請求項１と同様な効果がある。
【００１３】
請求項４記載の導光式照明装置は、請求項１において、前記遮光部材が不透過性材料からなり、前記透明カバーパネルの光源側端面に接着されるものである。
【００１４】
請求項４記載の導光式照明装置によれば、請求項１と同様な効果がある。
【００１５】
請求項５記載の導光式照明装置は、請求項１において、遮光部材が不透過性材料からなり、前記導光板の上部に設置されるものである。
【００１６】
請求項５記載の導光式照明装置は、請求項１と同様な効果がある。
【００１７】
請求項６記載の導光式照明装置は、請求項１において、前記光源の前記導光板と反対側に不透過性材料のシートを配置しその一側を前記導光板と前記透明カバーパネルの間に挿入したものである。
【００１８】
請求項６記載の導光式照明装置によれば、請求項１と同様な効果のほか、器具本体の内面を反射して開口より漏れる光を防止することができる。
【００１９】
【発明の実施の形態】
この発明の第１の実施の形態を図１から図３により説明する。すなわち、この導光式照明装置は、器具本体１と、導光板２と、透明カバーパネル３とを有する。
【００２０】
器具本体１は、光源４を覆い光源４を出光させる開口５を設けている。実施の形態の器具本体１は図２および図３に示すように上下両端部に光源装着部１０を設けた平板状であって、光源装着部１０を含めて器具本体１の周縁部を枠状のカバー１１で被せている。器具本体１の両端部は略Ｕ字形に折曲され、その内部の両端にソケット台１２が取付けられ、ソケット台１２にランプソケット１３が設けられている。光源４は直管蛍光ランプであり、ランプソケット１３に装着される。器具本体１より出光させる開口５は器具本体１と枠状のカバー６により形成されてカバー６の内周に沿って内周に向いている。１５は器具本体１の裏面に設けられた端子台、１６は器具本体１の両側に設けられてカバー１１を吸着するマグネット、１７は取付ねじである。
【００２１】
導光板２は、開口５に端面が導入されて端面２ａより光を入射し前面２ｂより透過する。実施の形態の導光板２は、例えば透明材料により形成され、器具本体１の両端部の間の前面に反射シート７を介して取付けられている。したがって、導光板２に入射した光は反射シート７側には抜け出ることがなく反射シート１７で反射されて前面側に透過する。
【００２２】
透明カバーパネル３は、導光板２の前面に配置されている。実施の形態では導光板２の前面に、表面にフィルムやポスター等の表示物のある拡散シート８を介して透明カバーパネル３を積み重ねている。また透明カバーパネル３の幅は導光板２の幅より若干短くして、導光板２上に遮光部材９が載るようにしている。
【００２３】
遮光部材９は、透明カバーパネル３の光源側端面３ａを遮光する。実施の形態は不導光性材料すなわち不透光性材料を用い、導光板２の拡散シート８の上に設けられ、透明カバーパネル３の端面３ａに接着している。
【００２４】
この導光式照明装置は、器具本体１のランプソケット１３に光源４を装着し、器具本体１にカバー６を被せ、光源４を点灯すると、開口５側に出る光が導光板２の端面２ａに入射し、導光板２の前面２ｂより出光し、拡散シート８および透明カバーパネル３を透してカバー６の中央開口より外部に出る。光源４の光のうち透明カバーパネル３の端面３ａに入射しようとする光は遮光部材９に当たって入射が遮られる。このため、透明カバーパネル３の傷や汚れ等が目立つのを防止することができる。
【００２５】
この発明の第２の実施の形態を図４に示す。すなわち、この照明装置は、第１の実施の形態において、遮光部材９を導光体２の上に拡散シート８を介さず直接設置して略密接し、かつ光源４と透明カバーパネル３の端面３ａとの間に介在している。その他は第１の実施の形態と同様である。
【００２６】
この発明の第３の実施の形態を図５に示す。すなわち、この照明装置は、第１の実施の形態において、遮光部材９を不透過性材料により形成し、カバー６に納る範囲内すなわち透明カバーパネル３の板厚以上でカバー６の内面に接近してカバー６に当たらない高さに大きくとっている。このため、カバー６と透明カバーパネル３との隙間５ａから漏れていた光も外部に出るまでの反射回数が増えるため減衰し、このためカバー６と透明カバーパネル３との隙間５ａからの光漏れも軽減できる。その他は第１の実施の形態と同様である。
【００２７】
この発明の第４の実施の形態を図６に示す。すなわち、この照明装置は、第２の実施の形態において、遮光部材９を不透過性材料により形成し、カバー６に納る範囲内すなわち透明カバーパネル３の板厚以上でカバー６の内面に接近してカバー６に当たらない高さに大きくとっている。このため第３の実施の形態と同様な効果があるほか、その他は第２の実施の形態と同様である。
【００２８】
この発明の第５の実施の形態を図７に示す。すなわち、この照明装置は、第３の実施の形態において、遮光部材９に不透過性でかつ低反射の材料を用いている。また遮光部材９が開口５の近傍に接近して光が漏れる隙間５ａが小さくなるようにしている。このため、遮光部材９の反射光が低減され、器具本体１の開口からの漏れ光を少なくできるので、反射による減衰がさらに加速され、カバー６で覆われた導光体２および透明カバーパネル３の長さを短くでき、照明装置の小型化が図れる。その他は第３の実施の形態と同様である。
【００２９】
この発明の第６の実施の形態を図８に示す。すなわち、この照明装置は、第４の実施の形態において、遮光部材９に不透過性でかつ低反射の材料を用いている。また遮光部材９が開口５の近傍に接近して光が漏れる隙間５ａが小さくなるようにしている。このため、第５の実施の形態と同様な効果があるほか、その他は第４の実施の形態と同様である。
【００３０】
この発明の第７の実施の形態を図９に示す。すなわち、この照明装置は、第１の実施の形態の遮光部材に代えて、可撓性または柔軟性の不透過材料のシート２０例えばランプ反射シートを用いて光源４の導光板２と反対側とカバー６の間に配置し、その一側を透明カバーパネル３と導光板２の間に挿入し、他側を器具本体１の内面に密接固定している。その他は第１の実施の形態と同様である。
【００３１】
第７の実施の形態によれば、光源４の光は導光板２の端面２ａに入射できるが、シート２０により透明カバーパネル３の端面３ａおよびカバー６の内面を反射しない。このため、透明カバーパネル３の傷等が表れず、またカバー６の内面を反射した光が開口５より漏れることがない。
【００３２】
この発明の第８の実施の形態を図１０に示す。すなわち、この照明装置は、第１の実施の形態の遮光部材に代えて、遮光部材２１を透明カバーパネル３の入光側端面３ａからカバー６の内面に渡って配設している。実施の形態では不透明材料を用いて断面逆Ｌ字形に形成し、その一片をカバー６の内面に取付け、他片により透明カバーパネル３の端面３ａを覆っている。このため、透明カバーパネル３への入射光を防止することができるとともに、カバー６の内面の反射光が開口５より漏れるのを防止することができる。なお遮光部材２１は器具本体１またはソケット台１２に取付けることができる。
【００３３】
【発明の効果】
請求項１記載の導光式照明装置によれば、光源より透明カバーパネルに入光する光が遮光部材により遮光され、簡単な構成により透明カバーパネルに付いた傷や汚れが光って目立つことを防止できる。
【００３４】
請求項２記載の導光式照明装置によれば、請求項１と同様な効果のほか、遮光部材の反射光が低減され、器具本体の開口からの漏れ光を少なくできるので、器具本体で覆われる導光板および透明カバーパネルの長さを短くでき照明装置の小型化ができる。
【００３５】
請求項３記載の導光式照明装置によれば、請求項１と同様な効果がある。
【００３６】
請求項４記載の導光式照明装置によれば、請求項１と同様な効果がある。
【００３７】
請求項５記載の導光式照明装置は、請求項１と同様な効果がある。
【００３８】
請求項６記載の導光式照明装置によれば、請求項１と同様な効果のほか、器具本体の内面を反射して開口より漏れる光を防止することができる。
【図面の簡単な説明】
【図１】この発明の第１の実施の形態の要部断面図である。
【図２】器具本体を示し、（ａ）は正面図、（ｂ）は側面図、（ｃ）は底面図である。
【図３】器具本体の分解斜視図である。
【図４】第２の実施の形態の要部断面図である。
【図５】第３の実施の形態の要部断面図である。
【図６】第４の実施の形態の要部断面図である。
【図７】第５の実施の形態の要部断面図である。
【図８】第６の実施の形態の要部断面図である。
【図９】第７の実施の形態の要部断面図である。
【図１０】第８の実施の形態の要部断面図である。
【図１１】従来例の要部断面図である。
【符号の説明】
１    器具本体
２    導光板
２ａ    端面
２ｂ    前面
３    透明カバーパネル
３ａ    端面
４    光源
５    開口
６    カバー
７    反射シート
８    拡散シート
９    遮光部材
２０    シート
２１    遮光部材
【図１】
0004608708.tif 000002
【図２】
0004608708.tif 000003
【図３】
0004608708.tif 000004
【図４】
0004608708.tif 000005
【図５】
0004608708.tif 000006
【図６】
0004608708.tif 000007
【図７】
0004608708.tif 000008
【図８】
0004608708.tif 000009
【図９】
0004608708.tif 000010
【図１０】
0004608708.tif 000011
【図１１】
0004608708.tif 000012